(57)【要約】【課題】歯科ユニットに備えられた一部の制御デバイスに不具合が生じた際にも正確かつ円滑に補修をすることができる歯科ユニットを提供する。【解決手段】複数の前記制御デバイスのいずれかに不具合が生じた際に、補修の制御をおこなう補修用制御手段を備え、複数の制御デバイスは、互いに信号の送受信が可能に接続されているとともに、個別データが記憶された記憶手段を具備しており、補修用制御手段は、不具合が生じた制御デバイスに含まれる記憶手段のデータを、他の制御デバイスの記憶手段に複写するとともに、該他の制御デバイスの記憶手段に複写されたデータを、交換された前記１つの制御デバイスの記憶手段に複写して復元する制御を行う。【選択図】図２
2016067523.tif 000002
【特許請求の範囲】
【請求項１】
複数の制御デバイスを有する歯科ユニットであって、
複数の前記制御デバイスのいずれかに不具合が生じた際に、補修の制御をおこなう補修用制御手段を備え、
複数の前記制御デバイスは、互いに信号の送受信が可能に接続されているとともに、個別データが記憶された記憶手段を具備しており、
前記補修用制御手段は、
不具合が生じた前記制御デバイスに含まれる前記記憶手段のデータを、他の前記制御デバイスの記憶手段に複写するとともに、該他の制御デバイスの記憶手段に複写されたデータを、交換された前記１つの制御デバイスの記憶手段に複写して復元する制御を行う、
歯科ユニット。
【請求項２】
前記補修用制御手段は、前記不具合が生じる前にバックアップデータをいずれかの前記制御デバイスに保存する制御を行い、当該保存は前記歯科ユニットの電源が切られたときにおこなわれる、請求項１に記載の歯科ユニット。
【請求項３】
前記バックアップデータは、日時又は通し番号で区別されて複数保存され、必要なバックアップデータを呼び出すことが可能とされている請求項２に記載の歯科ユニット。
【発明の詳細な説明】
【技術分野】
【０００１】
本発明は、歯科治療時に施術する際に用いる歯科ユニットに関する。
【背景技術】
【０００２】
歯科ユニットには、歯科用椅子、ドクターユニット、アシスタントユニット、及び歯科用照明などを備えている。近年、これら歯科用ユニットに具備される各構成部材は電子制御されており、各構成部材には制御デバイスが備えられており、この制御デバイスには構成部材を作動させるための演算子、プログラム、データが含まれている。
【０００３】
このような歯科ユニットにおいて、一部の制御デバイスに不具合が生じたときには当該制御デバイスを交換して補修を行うことが通常であった。
また、特許文献１には製品に外部機器を接続してデータの吸い上げ及び書き込みをおこなうことが記載されている。
【先行技術文献】
【特許文献】
【０００４】
【特許文献１】特開２００２−９１８３３号公報
【発明の概要】
【発明が解決しようとする課題】
【０００５】
しかしながら、歯科ユニットにおける従来の補修方法では交換した制御デバイスに再度データを手動で入力し直す必要があり、手間がかかっていた。また特許文献１に記載の発明では外部機器を接続しなければならず、外部機器の準備や作業等に手間がかかっていた。
【０００６】
これに対して本発明は従来技術に鑑み、歯科ユニットに備えられた一部の制御デバイスに不具合が生じた際にも正確かつ円滑に補修をすることができる歯科ユニット提供することを課題とする。
【課題を解決するための手段】
【０００７】
以下、本発明について説明する。
【０００８】
請求項１に記載の発明は、複数の制御デバイスを有する歯科ユニットであって、複数の制御デバイスのいずれかに不具合が生じた際に、補修の制御をおこなう補修用制御手段を備え、複数の制御デバイスは、互いに信号の送受信が可能に接続されているとともに、個別データが記憶された記憶手段を具備しており、補修用制御手段は、不具合が生じた制御デバイスに含まれる記憶手段のデータを、他の制御デバイスの記憶手段に複写するとともに、該他の制御デバイスの記憶手段に複写されたデータを、交換された１つの制御デバイスの記憶手段に複写して復元する制御を行う、歯科ユニットである。
【０００９】
請求項２に記載の発明は、請求項１に記載の歯科ユニットにおいて、補修用制御手段は、不具合が生じる前にバックアップデータをいずれかの制御デバイスに保存する制御を行い、当該保存は歯科ユニットの電源が切られたときに行われる。
【００１０】
請求項３に記載の発明は、請求項２に記載の歯科ユニットにおいて、バックアップデータは、日時又は通し番号で区別されて複数保存され、必要なバックアップデータを呼び出すことが可能とされている。
【発明の効果】
【００１１】
本発明によれば、不具合が生じた制御デバイスのデータを再度最初から手動で入力する必要がなくデータの復元を正確かつ円滑におこなうことができる。また不具合が生じた制御デバイスのデータを複写する際にも外部の他の記憶手段を用いる必要がなく、補修を簡易に行うことができる。
【図面の簡単な説明】
【００１２】
【図１】１つの形態に係る歯科ユニット１の側面図である。
【図２】制御手段５０を概念的に示した図である。
【発明を実施するための形態】
【００１３】
以下、本発明を図面に示す形態に基づき説明する。ただし本発明はこれら形態に限定されるものではない。
【００１４】
図１は、１つの形態を説明する図で歯科ユニット１を側面から見た図である。
歯科ユニット１は、患者用椅子１０、歯科用照明２０、スピットン２３、ドクターユニット３０、及びアシスタントユニット４０がそれぞれ配置されている。さらに図１には表れていないが、歯科ユニット１には該歯科ユニット１の制御する制御手段５０が備えられている。
【００１５】
患者用椅子１０は、患者が着座する椅子であり、基台１１、着座部１２、背もたれ１３、ヘッドレスト１４、レッグレスト１５、及びフットレスト１６を備えている。患者用椅子１０を構成するこれらの部材は公知のものを適用することができ、例えば次のように構成されている。
【００１６】
基台１１は着座部１２の下方に配置されており、筐体により外郭が形成されるとともに、該筐体内に各種制御機器が内包されている。ここに含まれる機器は特に限定されるものではないが、例えば患者床椅子１０の姿勢を変えるための油圧回路、該油圧回路を制御する患者用椅子制御デバイス５１（図２参照）等を挙げることができる。
【００１７】
着座部１２は、基台１１の上方に該基台１１に昇降可能に取り付けられている。着座部１２の昇降は、基台１１内に収められた油圧回路により行われる。具体的には、図１に符号１１ａで示したスイッチ１１ａの操作、又は操作パネル３３の操作により、操作指令を受けた患者用椅子制御デバイス５１（図２参照）が、上記油圧回路に組み込まれた油圧シリンダを適切に作動させることで当該着座部１２の昇降が行われる。そして上記背もたれ１３、ヘッドレスト１４、レッグレスト１５、及びフットレスト１６は着座部１２と一体に昇降させることができる。
【００１８】
背もたれ１３は、着座部１２の一端側を軸に回動可能に設けられている部材で、患者の胴部をサポートするものである。背もたれ１３は、患者が着座の姿勢、仰向けの姿勢になることができるように傾倒、起立が可能とされている。背もたれ１３の傾倒起立は、基台１１内から連結される油圧回路により行われる。具体的には、図１に符号１１ａで示したスイッチ１１ａの操作、又は操作パネル３３の操作により、操作指令を受けた患者用椅子制御デバイス５１（図２参照）が、上記油圧回路に組み込まれた油圧シリンダを適切に作動させることで当該背もたれ１３の傾倒起立が行われる。
【００１９】
ヘッドレスト１４は、背もたれ１３の端部のうち、着座部１２が配置される側とは反対側の端部に配置される部材で、患者の頭部をサポートする部材である。ヘッドレスト１４は、患者の頭部位置を施術に都合がよい姿勢になるように移動、回動可能に形成されている。ヘッドレスト１４のこのような動作は基台１１内から連結される油圧回路により行われる。具体的には、図１に符号１１ａで示したスイッチ１１ａの操作、又は操作パネル３３の操作により、操作指令を受けた患者用椅子制御デバイス５１（図２参照）が、上記油圧回路に組み込まれた油圧シリンダを適切に作動させることでヘッドレスト１４が作動する。
【００２０】
レッグレスト１５は、着座部１２の端部のうち、上記背もたれ１３が配置される側に対向する端部側を軸に回動可能に設けられている部材で、患者の脚部をサポートするものである。レッグレスト１５は、背もたれ１３の傾倒、起立の姿勢に合わせて鉛直、水平の姿勢となることができるように回動可能である。このようなレッグレスト１５の回動は、基台１１内から連結される油圧回路により行われる。具体的には、図１に符号１１ａで示したスイッチ１１ａの操作、又は操作パネル３３の操作により、操作指令を受けた患者用椅子制御デバイス５１（図２参照）が、上記油圧回路に組み込まれた油圧シリンダを適切に作動させることでレッグレスト１５が回動する。
【００２１】
フットレスト１６は、レッグレスト１５の端部のうち、着座部１２が配置される側に対向する端部側を軸に回動可能に設けられている部材で、患者の足先をサポートするものである。
【００２２】
歯科用椅子１０は上記のようにスイッチ１１ａの操作によりその姿勢を変えることができる。これに加えて歯科用ユニット１では操作パネル３３を含む制御手段５０により、該制御手段５０に保存されている設定データに基づいて姿勢を変えることが可能とされている。制御手段５０については後で説明する。
【００２３】
歯科用照明２０は、治療を行うときに的確に患者の口腔内を照明することができるように、自在継ぎ手等により自由度高く移動回動可能なアーム２１を介して取り付けられている。従って、歯科用照明２０は、その位置、角度、明るさなどを調整することにより施術者は患者の口腔内を適切に観察することができる。ここで本形態では歯科用照明２０の明るさは制御手段５０（歯科用照明制御デバイス５２）の設定データに基づいて変更できるように構成されている。
【００２４】
スピットン２３は、患者用椅子１０の一方の側面側に配置され、治療中や治療後に患者がうがいをして、口腔内を洗浄するときに使用するものである。従って、スピットン２３は、うがい水を供給する不図示のうがい水供給部と、うがいした後の口腔内の水を吐き捨てるための鉢部２４とを有している。そして鉢部２４に排出された唾液や水は、ウオーターユニット中の排水トラップを介して排出される。
【００２５】
ドクターユニット３０は、患者用椅子１０の側面側のうち、スピットン２３が配置される側とは反対側に設けられ、前後方向（図１の紙面左右方向）に移動可能に取り付けられている。
本形態のドクターユニット３０の上面には、映像表示装置３１が備えられている。ここには、施術者、及び患者が必要とする各種データやレントゲン等の画像、映像を表示することができる。
また、本形態のドクターユニット３０のうち映像表示装置３１とは反対側の端部には、施術者が使用する各種ハンドピース３２、及びこれを収納するホルダーが設けられている。ハンドピース３２としては、例えば、エアタービン、マイクロエンジ、スケーラ、シリンジ等を挙げることができる。ほとんど全てのハンドピースは、チューブ類を介して、電気回路、水回路、エア回路等と連結されている。
【００２６】
さらにドクターユニット３０の側面には操作パネル３３が具備されており、これらを操作することにより、歯科用ユニット１の各部の制御（歯科用照明２０の点灯、消灯、モードの切り替え、歯科用椅子の姿勢の変更、各種設定など）が可能とされている。この操作パネル３３は制御手段５０の入力制御デバイス５５の一部をなし、歯科用ユニット１の補修モードへの切り替えもこの操作パネル３３でおこなう。
【００２７】
アシスタントが使用する器具が設けられたアシスタントユニット４０は、スピットン２３と同じ側に設けられ、ドクターユニット３０と同様に前後方向に移動可能に取り付けられている。アシスタントユニット４０には、助手が使用するバキューム、排唾管、シリンジ等のハンドピースと、それらを収納するホルダーを有している。バキュームや排唾管は、吸引管を介してバキュームユニットに接続されている。
【００２８】
制御手段５０は、歯科ユニット１の各構成部材を制御する手段である。図２には制御手段５０の構成の概念図を示した。制御手段５０は、歯科ユニット１を構成する構成部材ごとに、属する構成部材を制御するため、個別に制御デバイスが備えられている。具体的には歯科用椅子制御デバイス５１、歯科用照明制御デバイス５２、ハンドピース制御デバイス５３、アシスタントユニット制御デバイス５４、及び入力制御デバイス５５を備えている。
そしてこれら個別の制御デバイス５１〜５５は、バス型トポロジー構造を具備し、バス型ネットワークを形成している。
【００２９】
各制御デバイスはそれぞれプログラムを実行して演算を行いその時点における制御の内容を決定する中央演算子（ＣＰＵ）、中央演算子の演算の根拠となるプログラムが保存されているＲＯＭ、並びに作業領域になるとともに演算結果や設定データが一時的及び継続して保存される記憶手段を備えており、制御デバイスへの信号の入出力が行われる入力ポート、出力ポートも具備されている。
【００３０】
歯科用椅子制御デバイス５１は、歯科用椅子１０の姿勢を制御するデバイスである。上記のように歯科用椅子１０は色々な姿勢を取ることができるのでその制御をこのデバイスでおこなう。従って歯科用椅子制御デバイス５１の記憶手段に保存されているデータとして例えば歯科用椅子の姿勢の設定データ等が挙げられる。
照明装置制御デバイス５２は歯科用照明２０の点灯、消灯、明るさを制御するデバイスである。従って照明装置制御デバイス５２の記憶手段には予め設定しておいた初期点灯時の明るさ等のデータが保存されている。
ハンドピース制御デバイス５３はドクターユニット３０に具備されたハンドピース３２の作動、停止、及びその作動の態様を制御をするデバイスである。従ってハンドピース制御デバイス５３の記憶手段にはハンドピースに具備されるマイクロモーターのトルク、回転数、タービンのパワー、超音波スケーラーのパワー等の各種設定のデータが保存されている。
アシスタントユニット制御デバイス５４はアシスタントユニット４０に備えられる各種機器の作動、停止、及びその作動の態様を制御するデバイスである。アシスタント制御デバイス５４の記憶手段に例えば予め設定しておいた初期値としての給水量（例えばコップ一杯分の水量）等のデータが保存されている。
入力制御デバイス５５は、操作者の希望する事項を入力することが可能とされており、その希望に基づいて上記した全ての制御デバイス５１〜５５に対して制御開始、停止を指令したり、設定をしたりする。従って、入力制御デバイス５５には、上記した操作パネル３３が含まれている。また、入力制御デバイス５５は補修用制御手段としても機能し、入力制御デバイス５５を補修モードにすることによりこれを補修用制御手段として機能させることができる。これにより後述するように容易に歯科用ユニット１の補修をすることが可能となる。
【００３１】
以上のように構成された歯科ユニット１によれば、操作パネル３３で入力された指令に基づいて該歯科ユニット１が使用者の希望に沿った態様で作動する。これに加えて歯科ユニット１を用いて次のように歯科ユニットを補修することができる。
【００３２】
操作パネル３３の操作により入力制御デバイス５５を操作して補修モードを選択することができる。当該補修モードを選択することにより、次の手順により歯科ユニット１を補修することができる。ここでは補修方法の手順として説明する。ただし、歯科ユニット１の補修用制御手段として機能する入力制御デバイス５５は、この方法を実現するための制御を各制御デバイス５１〜５５に対しておこなう。
【００３３】
上記した歯科用椅子制御デバイス５１、歯科用照明制御デバイス５２、ハンドピース制御デバイス５３、アシスタントユニット制御デバイス５４のうち少なくとも１つに不具合が生じた際に、補修をする者は入力制御デバイス５５を操作して当該入力制御デバイス５５を補修モードとし、補修用制御手段として機能させる。
【００３４】
そして、入力制御デバイス５５を操作して、不具合が生じた制御デバイスに含まれる記憶手段に記憶されたデータを、不具合を生じていないいずれかの制御デバイスに複写する（複写工程）。
【００３５】
次に、不具合を生じたデバイスを交換する（交換工程）。
【００３６】
そして、複写工程により他の制御デバイスの記憶手段に複写されたデータを交換工程で交換されたデバイスの記憶手段に複写して復元する（復元工程）。
【００３７】
以上の手順によれば、不具合が生じた制御デバイスのデータを再度最初から手動で入力する必要がなくデータの復元を正確かつ円滑におこなうことができる。また不具合を生じた制御デバイスのデータを複写する際にも外部の他の記憶手段を用いる必要がなく、補修を簡易に行うことができる。
【００３８】
従って、補修用制御手段は、不具合を生じた制御デバイスに含まれる記憶手段のデータを、不具合を生じていない制御デバイスの記憶手段に複写するように制御する。さらに補修用制御手段は不具合を生じた制御デバイスが交換された後に複写しておいたデータを、交換されたデバイスの記憶手段に複写して復元する制御を行う。
【００３９】
また、補修用制御手段は上記不具合が生じる前に、バックアップデータをいずれかの制御デバイスに保存する制御を行ってもよい。その際には自身の制御デバイスにバックアップデータを保存してもよいし、他の制御デバイスにバックアップデータを保存してもよい。
バックアップデータを保存する時期は特に限定されることはないが、データの更新が行われたとき、歯科ユニットの電源が切られたとき、使用者の操作が行われたとき等を挙げることができる。
バックアップデータの更新は上書きで行われてもよいが、複数のバックアップデータが保存されてもよい。このときにはバックアップデータの保存に日時や通し番号により整理され、必要なバックアップデータを呼び出せるように構成することが好ましい。
【符号の説明】
【００４０】
１  歯科ユニット
１０  歯科用椅子
２０  歯科用照明
２３  スピットン
３０  ドクターユニット
４０  アシスタントユニット
５０  制御手段
５１  歯科用椅子制御デバイス
５２  歯科用照明制御デバイス
５３  ハンドピース制御デバイス
５４  アシスタントユニット制御デバイス
５５  入力制御デバイス（補修用制御手段）
【図１】
2016067523.tif 000003
【図２】
2016067523.tif 000004